(57)【特許請求の範囲】
【請求項１】
被取付部に挟着するクリップの一側に光源を固定したクリップ式照明器具において、上記クリップの他側の挟着部に内側方向に突出した平坦面を有する収納凹部を形成し、この収納凹部に外側から上記挟着部内側に接点が突出し且つこの接点を押すことにて回路を接続するスイッチを収納し、上記収納凹部の平坦面と連続して上記クリップの先端に挟着部内側に向けて立上る立上り壁を形成し、この立上り壁および上記平坦面にゴムパッドを被着するとともに、上記クリップの一側の挟着部にゴムパッドを被着したことを特徴とするクリップ式照明器具。
【請求項２】
上記平坦面と立上り壁は、上記挟着部内側に対してほぼ同一の高さに設定されたことを特徴とする請求項１記載のクリップ式照明器具。
【請求項３】
上記スイッチの接点は、相対向するクリップの一側の内面近傍まで延びていることを特徴とする請求項１記載のクリップ式照明器具。
【発明の詳細な説明】
【０００１】
【産業上の利用分野】
本発明は例えば机の天板や棚板などの被取付部に取り付けるためのクリップを備えたクリップ式照明器具に関する。
【０００２】
【従来の技術】
机の天板や棚板などに挟着して使用するために、スプリング付きのクリップを備えたクリップ式照明器具は、手軽に移動して使用できる便利な照明器具である。従来、この種の照明器具としては例えば特開平１−３１１５０６号公報に開示されたものがある。
【０００３】
この照明器具は、図９に示すように上クリップ１と下クリップ２とを対向させ、これらをスプリング３を介して回動自在に結合し、上クリップ１および下クリップ２の先端の挟着部の対向する内側には、挟着した状態を保持するために、滑り止めのクッションとして設けたゴム板４および５が貼付されている。そして、上クリップ１のほぼ中央には一端に光源を取り付けた支柱６が固着されている。
【０００４】
また、上記挟着部先端近傍の外側には、マイクロスイッチ７の接点７ａである押ボタンをクリップ内側に突出させて取り付け、マイクロスイッチ７の接点７ａが押されて閉じたときに電源回路が接続され、上記光源が点灯するようにしてある。上クリップ１および下クリップ２の挟着部は、例えば机の天板や棚板などの取付台８を挟むように構成されている。
【０００５】
【発明が解決しようとする課題】
しかしながら、上記従来のクリップ式照明器具において、上クリップ１および下クリップ２の挟着部で挟む取付台８が薄い板である場合には、マイクロスイッチ７の接点７ａのストロークが短いと、接点７ａが押されないことがある。その結果、光源が消灯してしまう不具合が発生する。
【０００６】
これを解決するため、マイクロスイッチ７が取り付けられた側のゴム板４を薄く形成すれば、接点７ａのストロークが若干長くなるものの、ゴム板４を薄く形成した場合には、取付台８との接触面積が狭くなり、所望の取付強度が得られない課題が新たに発生する。
【０００７】
本発明は上述した事情を考慮してなされたもので、スイッチの接点のストロークを長くして、被取付部が薄い板でもスイッチの接点が確実に押されるようにするとともに、ゴムパッドを所定の厚さとして、被取付部に挟着した際に所望の取付強度が得られるクリップ式照明器具を提供することを目的とする。
【０００８】
【課題を解決するための手段】
上述した課題を解決するために、請求項１は、被取付部に挟着するクリップの一側に光源を固定したクリップ式照明器具において、上記クリップの他側の挟着部に内側方向に突出した平坦面を有する収納凹部を形成し、この収納凹部に外側から上記挟着部内側に接点が突出し且つこの接点を押すことにて回路を接続するスイッチを収納し、上記収納凹部の平坦面と連続して上記クリップの先端に挟着部内側に向けて立上る立上り壁を形成し、この立上り壁および上記平坦面にゴムパッドを被着するとともに、上記クリップの一側の挟着部にゴムパッドを被着したことを特徴とする。
【０００９】
請求項２は、請求項１記載の平坦面と立上り壁が上記挟着部内側に対してほぼ同一の高さに設定されたことを特徴とする。
【００１０】
請求項３は、請求項１記載のスイッチの接点が相対向するクリップの一側の内面近傍まで延びていることを特徴とする。
【００１１】
【作用】
請求項１においては、クリップの他側の挟着部に内側方向に突出した平坦面を有する収納凹部を形成し、この収納凹部に外側から挟着部内側に接点が突出し且つこの接点を押すことにて回路を接続するスイッチを収納したことにより、その分スイッチが内側に位置することとなって、その接点のストロークが長くなり、被取付部が薄い板でもスイッチの接点が確実に押されるようになる。
【００１２】
また、収納凹部の平坦面と連続してクリップの他側の先端に挟着部内側に向けて立上る立上り壁を形成し、この立上り壁および平坦面にゴムパッドを被着したことにより、ゴムパッドの厚さを所定の厚さに保持でき、被取付部に挟着した際に所望の取付強度が得られる。
【００１３】
請求項２においては、請求項１記載の平坦面と立上り壁が挟着部内側に対してほぼ同一の高さに設定されたことにより、被取付部に挟着した際、被着したゴムパッドの全体の面が被取付部に接触することになる。
【００１４】
請求項３においては、請求項１記載のスイッチの接点が相対向するクリップの内面近傍まで延びていることにより、被取付部が薄い板でもスイッチの接点が確実に押されるようになる。
【００１５】
【実施例】
以下、本発明の実施例を図面に基づいて説明する。
【００１６】
図１は本発明に係るクリップ式照明器具の一実施例を示す部分断面側面図である。図１に示すように、クリップ式照明器具１０はスイッチ側クリップ（クリップの他側）１１とスイッチ無し側クリップ（クリップの一側）１２とを対向させ、スプリング１３を介して回動可能に結合し、スイッチ側クリップ１１およびスイッチ無し側クリップ１２の先端の挟着部１１ａ，１２ａにより、机の天板や棚板などの被取付部に挟着できるように構成されている。
【００１７】
スイッチ側クリップ１１の挟着部１１ａの外側にはスイッチ１４が固定され、このスイッチ１４には導線１５が接続され、この導線１５の先端に差込みプラグ１６が取り付けられているとともに、導線１５のほぼ中間に手元スイッチ１７が接続されている。
【００１８】
スイッチ無し側クリップ１２のほぼ中央には、器具本体１８の首部１８ａが固定され、また器具本体１８には光源であるランプ１９が装着されるとともに、このランプ１９からの光を前方に出射するための反射笠１８ｂが設けられている。
【００１９】
次に、図１および図２（Ａ），（Ｂ），（Ｃ）に基づいてスイッチ側クリップ１１を説明する。図２（Ａ），（Ｂ），（Ｃ）はスイッチ１４およびそのスイッチボックスを取り付ける前の状態を示している。スイッチ側クリップ１１のほぼ中間には、図２（Ａ）に示すようにスイッチ無し側クリップ１２と結合するための結合片２０が一体に形成され、結合片２０に形成された孔２０ａに図１に示す結合軸２１が挿着される。
【００２０】
また、スイッチ側クリップ１１の挟着部１１ａには、図２（Ｂ）に示すように内側方向（被取付部を挟着する方向）に突出した平坦面２２を有する収納凹部２３が形成され、平坦面２２にはスイッチ１４の接点１４ａが挿通する円孔２２ａと、スイッチ１４およびそのスイッチボックス２４を固定するためのねじ２５，２５が螺合される２つのタップ孔２２ｂ，２２ｂがそれぞれ穿設されている。
【００２１】
さらに、スイッチ側クリップ１１の先端には、図２（Ｃ）に示すように収納凹部２３の平坦面２２と連続して内側方向に向けて立上る立上り壁２６が形成され、この立上り壁２６と平坦面２２が挟着部１１ａ内側に対してほぼ同一の高さに設定されている。
【００２２】
図３（Ａ），（Ｂ）はスイッチ側クリップ１１にスイッチ１４と、そのスイッチボックス２４と、ゴムパッド３０をそれぞれ取り付けた状態を示す。スイッチボックス２４には、スイッチ１４に接続された導線１４が挿通する挿通孔２４ａと、ねじ２５，２５が挿通する２つのねじ孔２４ｂ，２４ｂがそれぞれ穿設されている。
【００２３】
ゴムパッド３０は、図４（Ａ），（Ｂ）に示すように立上り壁２６と平坦面２２に被着され、内部に立上り壁２６と係合する係合溝３１が形成されているとともに、内側に被取付部と対向する溝３２がそれぞれ形成されている。また、ゴムパッド３０は平坦面２２と全体が接触する舌片３３が一体に形成され、この舌片３３にはスイッチ１４の接点１４ａが挿通する円孔３３ａおよびねじ２５，２５が挿通するねじ孔３３ｂ，３３ｂがそれぞれ穿設されている。
【００２４】
図５はスイッチ無し側クリップ（クリップの一側）１２の縦断面を示す。このクリップ１２のほぼ中間には、スイッチ側クリップ１１と結合するための結合片３５が一体に形成され、結合片３５に形成された孔３５ａに図１に示す結合軸２１が挿着される。そして、スイッチ無し側クリップ１２の挟着部１２ａの先端には、内側方向に向けて立上る立上り壁３６が形成されている。
【００２５】
また、スイッチ無し側クリップ１２の挟着部１２ａには、スイッチ側クリップ１１のゴムパッド３０と対をなすゴムパッド３７が図６に示すように被着され、このゴムパッド３７は図７（Ａ），（Ｂ）に示すように内部に立上り壁３６と係合する係合溝３９が形成されているとともに、内側に被取付部と対向する溝４０がそれぞれ形成されている。
【００２６】
次に、本実施例の作用について説明する。
【００２７】
スイッチ側クリップ１１とスイッチ無し側クリップ１２は、図１に示すようにスプリング１３により常時挟着部１１ａおよび１２ａの先端が閉じられた状態になっている。この状態では差込みプラグ１６を図示しないコンセントに装着して手元スイッチ１７をオンにしても、スイッチ１４の接点１４ａが押されていないので、ランプ１９が点灯しない。すなわち、この状態は挟着部１１ａおよび１２ａが被取付部を挟んでいない状態である。
【００２８】
他方、図８に示すように挟着部１１ａおよび１２ａの先端が被取付部５０を挟むと、スイッチ１４の接点１４ａが押されて、差込みプラグ１６を図示しないコンセントに装着し手元スイッチ１７をオンにすれば、ランプ１９が点灯することになる。
【００２９】
ところで、本実施例では、スイッチ側クリップ１１の挟着部１１ａに内側方向に突出した平坦面２２を有する収納凹部２３を形成し、この収納凹部２３に外側からスイッチ１４を収納したことにより、その分スイッチ１４が内側に位置することとなって、その接点１４ａのストロークが長くなり、被取付部５０が薄い板でもスイッチ１４の接点１４ａが確実に押されるようになる。
【００３０】
また、スイッチ側クリップ１１の平坦面２２と連続して立上り壁２６を形成し、この立上り壁２６および平坦面２２にゴムパッド３０を被着したことにより、ゴムパッド３０の厚さを所定の厚さに保持でき、被取付部５０に挟着した際に所望の取付強度が得られる。そして、立上り壁２６にゴムパッド３０を被着したので、ゴムパッド３０の抜け止め防止効果を有し、ゴムパッド３０に対して所望の食い込み強度が得られる。
【００３１】
さらに、平坦面２２と立上り壁２６がスイッチ側クリップ１１の挟着部１１ａ内側に対してほぼ同一の高さに設定されたことにより、被取付部５０に挟着した際、ゴムパッド３０が被取付部５０に局部的に当接することなく、ゴムパッド３０の全体の面が被取付部５０に接触することになる。
【００３２】
そして、スイッチ１４の接点１４ａが相対向するスイッチ無し側クリップ１２のゴムパッド３７の内面近傍まで延びていることにより、被取付部５０が薄い板でもスイッチ１４の接点１４ａが確実に押されるようになる。ここで、スイッチ１４の取付誤差などにより、接点１４ａがスイッチ無し側クリップ１２のゴムパッド３７の内面に接触するような場合には、溝４０を深く形成したゴムパッドと交換するようにしてもよい。
【００３３】
さらにまた、本実施例では、ゴムパッド３０および３７にそれぞれ溝３２および４０を形成したので、被取付部５０がパイプ状のものであれば、確実に適合することになる。
【００３４】
【発明の効果】
以上説明したように、本発明の請求項１によれば、クリップの他側の挟着部に内側方向に突出した平坦面を有する収納凹部を形成し、この収納凹部に外側から挟着部内側に接点が突出し且つこの接点を押すことにて回路を接続するスイッチを収納したことにより、その分スイッチが内側に位置することとなって、その接点のストロークが長くなり、被取付部が薄い板でもスイッチの接点が確実に押されるようになる。その結果、信頼性を大幅に向上させることができる。
【００３５】
また、収納凹部の平坦面と連続してクリップの他側の先端に挟着部内側に向けて立上る立上り壁を形成し、この立上り壁および平坦面にゴムパッドを被着したことにより、ゴムパッドの厚さを所定の厚さに保持でき、被取付部に挟着した際に所望の取付強度が得られ、安全性を高めることができる。
【００３６】
請求項２によれば、請求項１記載の平坦面と立上り壁が挟着部内側に対してほぼ同一の高さに設定されたことにより、被取付部に挟着した際、被着したゴムパッドの全体の面が被取付部に接触することになる。
【００３７】
請求項３によれば、請求項１記載のスイッチの接点が相対向するクリップの内面近傍まで延びていることにより、被取付部が薄い板でもスイッチの接点が確実に押されるようになる。その結果、一段と信頼性を向上させることができる。
【図面の簡単な説明】
【図１】本発明に係るクリップ式照明器具の一実施例を示す部分断面図。
【図２】（Ａ），（Ｂ），（Ｃ）は図１に示すスイッチ側クリップの縦断面図，部分平面図，部分断面側面図。
【図３】（Ａ），（Ｂ）は図２のスイッチ側クリップにスイッチなどを取り付けた状態を示す縦断面図，部分断面側面図。
【図４】（Ａ），（Ｂ）は図３のゴムパッドを示す底面図，断面図。
【図５】図１に示すスイッチ無し側クリップの縦断面図。
【図６】図５のスイッチ無し側クリップにゴムパッドを被着した状態を示す縦断面図。
【図７】（Ａ），（Ｂ）は図６のゴムパッドを示す底面図，断面図。
【図８】図１のクリップを被取付部に挟んだ状態を示す部分断面図。
【図９】従来のクリップ式照明器具を示す断面図。
【符号の説明】
１０  クリップ式照明器具
１１  スイッチ側クリップ（クリップの他側）
１１ａ  挟着部
１２  スイッチ無し側クリップ（クリップの一側）
１２ａ  挟着部
１３  スプリング
１４  スイッチ
１４ａ  接点
１９  ランプ（光源）
２２  平坦面
２３  収納凹部
２４  スイッチボックス
２６  立上り壁
３０  ゴムパッド
３１  係合溝
３６  立上り壁
３７  ゴムパッド
【図１】
0003653742.tif 000002
【図２】
0003653742.tif 000003
【図３】
0003653742.tif 000004
【図４】
0003653742.tif 000005
【図５】
0003653742.tif 000006
【図６】
0003653742.tif 000007
【図７】
0003653742.tif 000008
【図８】
0003653742.tif 000009
【図９】
0003653742.tif 000010